(57)【要約】【課題】簡易な構成でコスト安に、打撃等により生じた微細なコンクリート片（コンクリート粉）などのごみを内部に吸入することを阻止して正確な硬度測定を長期間に亙って実現することができる極めて実用性，作業性に秀れた画期的なテストハンマーを提供すること。【解決手段】本体１内にハンマー体２を摺動自在に設け、このハンマー体２をスプリング３の弾性復帰力で、本体１に突没動自在に設けた測定物打撃用のプランジャ４を介して測定物５に打撃し、この打撃により前記ハンマー体２が反発した移動量によって測定物５の硬度を測定するテストハンマーにおいて、前記測定物５に当接した測定時のプランジャ４を前記本体１に没入した状態から、測定後このプランジャ４を本体１に対して突出動させた際に、本体１とプランジャ４との微小隙間７とは別に、本体１内が負圧となることで外部から前記本体１内に空気を導入する前記微小隙間７よりも通気可能面積を大きく設定した空気導入部８を前記微小隙間７から離れた本体１の所定位置に設けたテストハンマー。【選択図】        図２
2004239852.tif 000002
【特許請求の範囲】
【請求項１】
本体内にハンマー体を摺動自在に設け、このハンマー体をスプリングの弾性復帰力で、本体に突没動自在に設けた測定物打撃用のプランジャを介して測定物に打撃し、この打撃により前記ハンマー体が反発した移動量によって測定物の硬度を測定するテストハンマーにおいて、前記測定物に当接した測定時のプランジャを前記本体に没入した状態から、測定後このプランジャを本体に対して突出動させた際に、本体とプランジャとの微小隙間とは別に、本体内が負圧となることで前記微小隙間より離れた外部から前記本体内に空気を導入する前記微小隙間よりも通気可能面積を大きく設定した空気導入部を本体に設けたことを特徴とするテストハンマー。
【請求項２】
前記空気導入部を、前記本体に設けた通気孔に、本体内から本体外への空気の導出を阻止し且つ本体外から本体内への空気の導入を許容する空気吸入弁を設けて形成したことを特徴とする請求項１記載のテストハンマー。
【発明の詳細な説明】
【０００１】
【発明の属する技術分野】
本発明は、コンクリート等の測定物の硬度を測定するテストハンマーに関するものである。
【０００２】
【従来の技術及び発明が解決しようとする課題】
例えばコンクリートテストハンマーには様々なタイプのものがあるが、一般に施工の終えたコンクリートの強度を測定する場合に用いられる非破壊式の試験機（例えば実開昭６１−１３１６４６号記載のコンクリートテストハンマー）は、次のような構成である。
【０００３】
本体となる握持筒部に打撃ポンチと同様な測定物打撃用プランジャを突没動自在に垂設し、握持筒部内にはこのプランジャを打撃するハンマーをこの握持筒部の長さ方向に摺動自在に設け、このハンマーと握持筒部とをスプリングで連結し、測定物となるコンクリートの表面にこのプランジャの先端面を当接し、握持筒部を握持して測定面に強く押し付けていくことで前記プランジャが徐々に測定面に生じる反抗力により握持筒部に没入していき（この際、ハンマーは握持筒部の基端側へスプリングの弾性復帰力に抗して移動する。）、このプランジャが所定量以上没入したとき、スプリングの弾性復帰力によって、ハンマーがプランジャの基端部を打撃し、これにより、プランジャの先端がコンクリート面を強く打撃するもので、この打撃時のハンマー体のプランジャに対する反発移動量を計測することでコンクリートの硬度を測定するものである。
【０００４】
このコンクリートテストハンマーの内部は、コンクリート面の硬度を正確に測定できるように、ある程度の気密状態となるように作られている。それ故、プランジャが握持筒部に対して出入りすると、その度に握持筒部内が加圧状態となったり負圧状態となったりし、これに伴い、構造上、最も気密性が低い（空気の出入りが容易な）握持筒部の先端部とプランジャとの微小な隙間から空気が出入りする。
【０００５】
一方、コンクリートテストハンマーを使用してコンクリートの硬度を測定すると、ハンマーがプランジャを介してコンクリート面を打撃した際の衝撃によってコンクリートの表面から微細なコンクリート片（コンクリート粉）が剥離したり、この剥離した微細なコンクリート粉がコンクリートの表面付近に舞ったりする事態が発生する。
【０００６】
従って、測定後、プランジャを握持筒部内に没入した状態からこのプランジャを握持筒部に対して突出動させた際に（即ち、測定後に握持筒部をコンクリート面から離反させようとした際）、握持筒部内が負圧状態となり、これにより、コンクリート面に近接する握持筒部の先端部とプランジャとの微小な隙間から、握持筒部の内部に空気が導入されると共に前述した微細なコンクリート片（コンクリート粉）などを本体内に吸い込んでしまうという問題点がある。
【０００７】
これにより、握持筒部内に吸い込まれた微細なコンクリート片（コンクリート粉）が、ハンマーの摺動動作をガイドするガイド杆や、コンクリート面の硬度を表示する指示片をスライドさせるためのスライド杆等に付着して測定値に誤差を生じさせ、よって、長期間にわたって安定した正確な測定を行うことが極めて困難となる。尚、測定により握持筒部内に入り込んだ微細なコンクリート片（コンクリート粉）は、測定を行うためにプランジャの先端をコンクリート面に当接しこの握持筒部をコンクリート面に向けて押し付けてプランジャを没入した際、握持筒内の先端から吹き出されるこの握持筒部内の空気によっていくらか外部へ排出されるが、繰り返し使用することでコンクリート粉は内部に蓄積し、結局は前述した理由により、測定値に誤差を生じてしまう。
【０００８】
また、握持筒部内に微細なコンクリート粉等のごみが吸入されて前記ガイド杆等に一旦付着してしまうと、例えば、大小様々な複数の部材からなるコンクリートテストハンマーを分解して付着したごみを取り除かなければならないため非常に煩わしく手間がかかるという問題点もある。
【０００９】
本発明は、試作・検討を繰り返し、上記問題点を解決したもので、簡易な構成でコスト安に、打撃等により生じた微細なコンクリート片（コンクリート粉）などのごみを内部に吸入することを阻止して正確な硬度測定を長期間に亙って実現することができる極めて実用性，作業性に秀れた画期的なテストハンマーを提供することを目的としている。
【００１０】
【課題を解決するための手段】
添付図面を参照して本発明の要旨を説明する。
【００１１】
本体１内にハンマー体２を摺動自在に設け、このハンマー体２をスプリング３の弾性復帰力で、本体１に突没動自在に設けた測定物打撃用のプランジャ４を介して測定物５に打撃し、この打撃により前記ハンマー体２が反発した移動量によって測定物５の硬度を測定するテストハンマーにおいて、前記測定物５に当接した測定時のプランジャ４を前記本体１に没入した状態から、測定後このプランジャ４を本体１に対して突出動させた際に、本体１とプランジャ４との微小隙間７とは別に、本体１内が負圧となることで前記微小隙間７より離れた外部から前記本体１内に空気を導入する前記微小隙間７よりも通気可能面積を大きく設定した空気導入部８を本体１に設けたことを特徴とするテストハンマーに係るものである。
【００１２】
また、前記空気導入部８を、前記本体１に設けた通気孔に、本体１内から本体１外への空気の導出を阻止し且つ本体１外から本体１内への空気の導入を許容する空気吸入弁１３を設けて形成したことを特徴とする請求項１記載のテストハンマーに係るものである。
【００１３】
【発明の実施の形態】
好適と考える本発明の実施の形態（発明をどのように実施するか）を、図面に基づいてその作用効果を示して簡単に説明する。
【００１４】
測定時のプランジャ４を本体１に没入した状態から、測定後このプランジャ４を本体１に対して突出動させると、本体１はある程度の気密状態となっていることから、この本体１内は圧力が低い状態、即ち、負圧状態となる。
【００１５】
この際、この負圧状態となった本体１内へは、外部の空気が、本体１とプランジャ４との微小隙間７よりも通気可能面積を大きく設定した空気導入部８から優先的に導入されることとなる。
【００１６】
これにより、前記微小隙間７からはほとんど外部の空気を本体１内に導入しないようにできるため、前記微細なコンクリート片などを本体１内にほとんど吸い込まないようにできることとなる。
【００１７】
また、負圧状態となった本体１に空気を導入する際、前記微小隙間７より離れた外部から本体１内に空気を導入し得る前記空気導入部８を介して前記空気を導入するため、硬度測定時の衝撃により生じた例えばコンクリート面に存在する微細なコンクリート片や、このコンクリート面付近に舞うコンクリート粉塵からより離れた位置の空気、即ち、コンクリート片やコンクリート粉塵が含まれない空気を本体１内へ導入することとなるため、本体１内に微細なコンクリート片などをほとんど吸い込まないようにできることとなる。
【００１８】
従って、負圧状態となった本体１内へ外部の空気を導入する際、微細なコンクリート片などを最も吸い込み易い微小隙間７から外部の空気を導入するのではなく、この微小隙間７から離れた空気導入部８から本体１内に外部の空気を導入することで、測定時の衝撃により生じた例えば測定物５となるコンクリートの表面上に存在する微細なコンクリート片や、このコンクリート表面付近に舞うコンクリート粉塵などを本体１内に吸い込みにくくすることができる。
【００１９】
また、例えば、前記空気導入部８を、前記本体１に設けた通気孔に、本体１内から本体１外への空気の導出を阻止し且つ本体１外から本体１内への空気の導入を許容する空気導入弁１３を設けて形成することで、負圧状態となった本体１に外部の空気を導入する際には、本体１とプランジャ４との微小隙間７よりもより大きな通気可能面積を有する空気導入部８からほとんどの空気を導入することとなり、これにより、本体１とプランジャ４との微小隙間７からは空気をほとんど導入しないこととなるため、本体１内に微細なコンクリート片などをほとんど吸い込まないようにでき、更に、測定を行うために測定物５にプランジャ４の先端を当接してこのプランジャ４を本体１内に没入することで本体１が加圧状態となった際、本体１内の加圧状態の空気は、空気導入部８からは外部へ導出されないために本体１とプランジャ４との微小隙間７から導出されることとなるため、この際、仮に繰り返しの使用により本体１内に吸い込まれた微細なコンクリート片があったとしても、又は、本体１内に吸い込まれそうな状態の微細なコンクリート片など（即ち、本体１の先端面に付着した微細なコンクリート片など）があったとしても、前記導出される空気と共に一気に吹き出し、除去できることとなる。
【００２０】
従って、本発明は、本体１内に微細なコンクリート片などを吸い込むことを阻止することができ、これにより、繰り返し使用しても本体１内のガイド杆などに微細なコンクリート片などが付着して測定値に誤差を生じてしまうことを防止することができ、よって、正確な測定を長期間に亙って行うことができる極めて実用性に秀れた画期的なテストハンマーとなる。
【００２１】
【実施例】
図面は本発明の一実施例を図示したものであり、以下に説明する。
【００２２】
本実施例は、筒状の本体１内にハンマー体２をこの本体１の長さ方向に摺動自在に設け、このハンマー体２をスプリング３の弾性復帰力で、本体１に突出動自在に設けたコンクリート打撃用のプランジャ４に打撃し、この打撃によるハンマー体２の反発移動量によってコンクリート５の硬度を測定する非破壊式のコンクリートテストハンマーに本発明を適用したもので、コンクリート面５に当接した測定時のプランジャ４を本体１内に没入した状態から、測定後このプランジャ４を本体１に対して突出動させた際に、本体１とプランジャ４との微小隙間７とは別に、本体１内が負圧となることで前記微小隙間７より離れた外部から本体１内に空気を導入する前記微小隙間７より通気可能面積を大きく設定した空気導入部８を本体１に設けた構成のコンクリートテストハンマーに係るものである。
【００２３】
本体１の先端部には、図１に示すように、この本体１に対して長さ方向に突出動自在なプランジャ４を設けた構成としている。
【００２４】
また、本体１内の長手方向、具体的には軸方向にはガイド軸１０を設け、このガイド軸１０の先端部をプランジャ４の基端部に設けた係合孔に遊嵌した構成としている。
【００２５】
ガイド軸１０にはハンマー体２をこのガイド軸１０に沿って摺動自在に設けた構成としている。
【００２６】
また、本体１の先端内部には、リング状の金具で構成されたスプリング取付体６を配設し、このスプリング取付体６にスプリング３の一端部を付設し、このスプリング３の他端部をハンマー体２の先端部に付設することで、ハンマー体２を本体１の先端方向に向けて弾圧付勢した構成としている。
【００２７】
また、ガイド軸１０の基端部には、プランジャ４，ガイド軸１０及びハンマー体２を本体１の長さ方向にガイドするガイド板１１を設けた構成としている。
【００２８】
即ち、このガイド板１１は、外縁部の所定位置に略対向状態で切り欠き溝（図示省略）を設け、一方、この切り欠き溝に対向し得る本体１の内面所定位置には、長さ方向にガイド凸条（図示省略）を設けて、ガイド板１１がガイド凸条に沿ってスライド移動することで、プランジャ４，ガイド軸１０及びハンマー体２を本体１の長さ方向に真っすぐに摺動できる構成としている。
【００２９】
また、このガイド板１１と本体１の基端との間にはスプリング１２を介装し、ガイド板１１を本体１の先端方向に弾圧付勢した構成としている。
【００３０】
また、ガイド板１１には、逆Ｌ字形の係止レバー１５を係止ピン１６によって回動自在に軸着した構成とし、この係止レバー１５の一端部に、前記ハンマー体２の基端部に設けた掛止部２０に掛止係止し得る係止爪１７を形成し、他端部に、係止爪１７の掛止部２０への掛止係止状態を解除する解除部１８を設けた構成とし、この係止レバー１５は、解除部１８近傍に設けたスプリング１９によって、係止爪１７が掛止部２０に係止する方向に弾圧付勢した構成としている。
【００３１】
また、本体１の基端中央には、係止レバー１５に当接して掛止部２０に係合係止した係止爪１７を係止解除するための解除ボルト２１を本体１の先端側に向けて螺着した構成としている。即ち、解除ボルト２１に、係止爪１７で掛止部２０を係止した係止レバー１５を当接した際、係止レバー１５が前記解除ボルト２１により押動されることで係止レバー１５が係止ピン１６を支点に回動し、これにより、ハンマー体２の掛止部２０に掛止係止した係止爪１７を解除するように構成している。
【００３２】
本体１の外面部には、その長さ方向に長窓２２を形成し、この長窓２２にポテンションメータ２３を付設した構成としている。
【００３３】
また、本体１の内面部には、前記長窓２２に沿ってスライド杆２４を設け、このスライド杆２４に前記ポテンションメータ２３に記載された数値を指示する指示片２５をスライド自在に設けた構成としている。
【００３４】
また、この指示片２５は、その端部を本体１の先端側内方へ突出した構成とし、ハンマー体２がプランジャ４を打撃して反発した際、ハンマー体２の外面部に設けた係合段部２９に前記指示片２５の突出端部が係合することで前記指示片２５を押し上げ、この押し上げられた指示片２５が示すポテンションメータ２３の数値がコンクリート５の硬度となるように構成している。尚、押し上げられた指示片２５は、硬度測定後にプランジャ４を本体１から突出動させる際に、このプランジャ４及びプランジャ４に遊嵌したガイド軸１０と共に本体１の先端側へ移動するガイド板１１の外縁部に当接することで、零の値を示す部位まで押し下げられる構成となっている。
【００３５】
尚、図中符号３３は、ガイド板１１，ガイド軸１０，ハンマー体２及びプランジャ４を所定位置に保持し得るストッパーを示している。
【００３６】
本体１の中央部よりも基端寄りには、図１〜図４に示すように、本体１内が負圧となることで外部から本体１内に空気を導入する空気導入部８を設けた構成としている。これは、測定時のハンマー体２による衝撃によりコンクリート面に存在する微細なコンクリート片やコンクリート粉塵を吸い込み易い本体１の先端部からなるべく離れた位置で、外部の空気（即ち、微細なコンクリート片やコンクリート粉塵を含まない空気）を吸入することで、本体１内にコンクリート片などが吸い込まれることを阻止できるようにするためである。
【００３７】
具体的には、この空気導入部８を、少なくとも前記本体１とプランジャ４との微小隙間７よりも大きな通気可能面積を有するように形成した構成としている。これにより、負圧状態となった本体１内に外部の空気が導入される際、この外部の空気は、本体１とプランジャ４との隙間よりも通気が容易な空気導入部８から優先的に導入されることとなり、これにより、本体１とプランジャ４との隙間からはほとんど外部の空気を導入しないようにできるため、前記微細なコンクリート片などを本体１内にほとんど吸い込まないようにできることとなる。
【００３８】
また、前記プランジャ４を先端部に設けた前記本体１の少なくとも中央部よりも基端側に前記空気導入部８を設けた構成としている。これにより、負圧状態となった本体１内に外部の空気を導入する際、硬度測定時の前記ハンマー体２による衝撃により生じた例えばコンクリート面に存在する微細なコンクリート片や、このコンクリート面付近に舞うコンクリート粉塵からより離れた位置の空気（即ち、コンクリート片やコンクリート粉塵が含まれない空気）を本体１内へ導入することとなるため、本体１内に微細なコンクリート片などをほとんど吸い込まないようにできることとなる。
【００３９】
また、この空気導入部８は、前記本体１に設けた通気孔に、本体１内から本体１外への空気の導出を阻止し且つ本体１外から本体１内への空気の導入を許容する空気吸入弁１３を設けることで形成した構成としている。
【００４０】
更に具体的には、前記本体１に前記空気導入部８として設ける通気孔を螺子孔とし、この螺子孔に前記空気吸入弁１３を設けた螺子体９を螺着することで前記本体１に空気吸入弁１３を有する空気導入部８を設けた構成としている。
【００４１】
即ち、螺子体９は、図５に示すように、内部に螺子体９の基端部と先端部とを通気可能とする通気部２６を設けた構成とし、この螺子体９の先端部（本体１内挿入側）には通気部２６を覆うように空気吸入弁１３となるフィルム弁１３を、螺子体９の先端方向に向けて擺動自在となるようにスプリングピン２８によって配設した構成としている。
【００４２】
これにより、本体１に螺子孔を設け、この螺子孔に前記空気吸入弁１３を有する螺子体９を螺着するだけで、本体１に空気吸入弁１３を有する空気導入部８を設けることができるため容易に設計実現可能となり、よって、秀れた量産性を発揮できることとなる。
【００４３】
更に、本体１内が負圧状態となった際には、図２，図３に示すように、螺子体９の基端部（本体１外露出側）から外部の空気が通気部２６を介してフィルム弁１３を本体１の内方に向けて擺動させる（押し開く）ことで、本体１内と本体１外とが連通状態となって外部の空気を導入することとなる。
【００４４】
一方、本体１内が加圧状態となった際には、図４に示すように、フィルム弁１３は圧力によって螺子体９の先端面（即ち通気部２６の周縁部）に押圧されて通気部２６を塞ぎ、これによって、本体１内から本体１外への空気の導出を阻止することとなる。
【００４５】
また、空気吸入弁１３を有する螺子体９は、螺子体９に単にスプリングピン２８で空気吸入弁１３となるフィルム弁１３の一端部を係止しただけの簡単な構成であるため、容易に設計実現可能であり、よって、秀れた量産性を発揮することができる。
【００４６】
尚、本実施例では、空気導入部８を、本体１に空気吸入弁１３を有する螺子体９を設けることで形成した構成としたが、本体１外から本体１内へ空気を導入し得る構成であれば、本実施例に記載の構成に限られるものではなく、例えば、本体１に設けた挿通孔に空気吸入弁を設けた部材を溶接などにより付設して空気導入部８を形成しても良い。
【００４７】
また、本実施例では、空気吸入弁１３としてフィルム弁を採用したが、空気吸入弁１３としての機能を発揮し得るものであればこれに限られるものではなく、例えばボール弁等でも良い。
【００４８】
次に、本実施例の作用について説明する。
【００４９】
測定面となるコンクリート面５に、プランジャ４の先端部を当接し、図４に示すように、このプランジャ４を本体１内に没入するように、本体１をコンクリート面５に向けて押し付けていくと、プランジャ４が測定面に生じる反抗力により本体１内に没入していき（この際、スプリング３が延びてハンマー体２は本体１の基端側へ移動する）、これにより、本体１内の空気が没入したプランジャの体積分圧縮されて本体１内は加圧状態となる。
【００５０】
この際、加圧状態となった空気は、本体１の先端部とプランジャ４の外面との隙間から導出されることとなる。
【００５１】
コンクリート面５に向けて本体１を更に押し付けていくと、スプリング３が一定距離延びたところでハンマー体２の基端部にガイド板１１を連結させていた係止レバー１５に解除ボルト２１が当接し、この解除ボルト２１が係止レバー１５を押し込むことで係止レバー１５が係止ピン１５を支点に回動して掛止部２０から係止爪１７が離反（解除）することとなる。
【００５２】
掛止部２０から係止爪１７が離反すると、これまでスプリング取付体６に対して伸張していたスプリング３の弾性復帰力によってハンマー体２がガイド軸１０に沿って本体１の先端方向へスライド移動してプランジャ４の基端部を打撃することとなる。尚、この際、プランジャ４は本体１内に没入した状態のままである。
【００５３】
この打撃により、ハンマー体２がプランジャ４に対して反発移動すると、この反発移動の際に、ハンマー体２の外面部に設けた係合段部２９に指示片２５の突出端部２５Ａが係合して指示片２５を反発移動量分スライド移動（押し上げ移動）することとなる。
【００５４】
この際、指示片２５が示すポテンションメータ２３の数値がコンクリート面５の硬度となる。
【００５５】
硬度測定後、コンクリート面５に押し付けていた本体１をコンクリート面５から徐々に離反させると、図２に示すように、本体１内に没入していたプランジャ４が本体１外へ突出動し、これに伴い、本体１内は減圧された状態、即ち、負圧状態となる。
【００５６】
この際、図２，図３に示すように、外部の空気が本体１の先端部とプランジャ４の外面との微小隙間７からではなく、空気導入部８から導入される。
【００５７】
従って、本実施例は、コンクリート面５の硬度を測定する度に本体１内と本体１外とに空気の出入りがあっても、微細なコンクリート片やコンクリート粉塵などのゴミを一番吸い込み易い本体１の先端部とプランジャ４の微小隙間７から外部の空気が吸い込まれることはなく、これにより、本体１内に微細なコンクリート片などのゴミを吸い込んで測定値に誤差を極めて生じさせにくく、よって、正確な硬度測定を長時間に亙って実施することができる。
【００５８】
また、硬度測定を行うために測定物５にプランジャ４の先端を当接し、本体１を押し付けてプランジャ４を本体１内に没入し本体１内が加圧状態となった際、本体１の先端部とプランジャ４との隙間から一気に排出される空気によって、繰り返しの使用により仮に本体１内に吸い込まれた微細なコンクリート片などのゴミや、本体１内に吸い込まれそうになっている微細なコンクリート片などのゴミを除去することもできる。
【００５９】
即ち、本実施例は、本体１（ハウジング）内の空気が微小隙間７（プランジャーガスケット部）より排出する構造としたことにより、打突により飛散したプランジャー部付近の粉塵を本体１内に吸入させず早期の計測値低下を阻止し、よって、オーバーホール時期の延長を図ることができる。
【００６０】
また、空気吸入弁１３はフィルム弁を使用しあ簡便なねじ込み式の構成とした場合、従来の本体にねじ穴を追加するだけで安価に、容易に追加が可能である。
【００６１】
【発明の効果】
本発明は上述のように構成したから、簡易な構成でコスト安に、打撃により生じた微細なコンクリート片などのごみを内部に吸い込むことを阻止して長期間に亙って正確なコンクリートの硬度測定を行うことができる極めて実用性，作業性に秀れた画期的なテストハンマーとなる。
【００６２】
即ち、測定後、本体からプランジャを突出動することで本体内が負圧状態となった際、コンクリート等の測定物の表面に存在する微細なコンクリート片等のゴミを一番吸い込み易い、本体とプランジャとの微小隙間から外部の空気を吸い込みにくくし、この微小隙間から離れ且つ前記微小隙間よりも通気可能面積が大きい空気導入部から外部の空気を吸い込むようにすることで、測定物の表面に存在する微細なコンクリート片などのゴミを本体内に極めて吸い込みにくくすることができ、これにより、正確な測定を長期間に亙って実施することができる極めて実用性，作業性に秀れた画期的なテストハンマーとなる。
【００６３】
また、請求項２記載の発明については、負圧状態となった本体に外部の空気を導入する際には、本体とプランジャとの微小隙間よりもより大きな通気可能面積を有する空気導入部からほとんどの空気を導入することとなり、これにより、本体とプランジャとの隙間からは空気をほとんど導入しないこととなるため、本体内に微細なコンクリート片などをほとんど吸い込まないようにでき、更に、測定を行うために測定物にプランジャの先端を当接してこのプランジャを本体内に没入することで本体が加圧状態となった際には、本体内の加圧状態の空気が、空気導入部からは外部へ導出されないために本体とプランジャとの隙間から導出されることとなるため、この際、仮に繰り返しの使用により本体内に吸い込まれた微細なコンクリート片があったとしても、又は、本体内に吸い込まれそうな状態の微細なコンクリート片など（即ち、本体の先端面に付着した微細なコンクリート片など）があったとしても、前記導出される空気と共に一気に吹き出し、除去できる極めて実用性に秀れた画期的なテストハンマーとなる。
【図面の簡単な説明】
【図１】本実施例のコンクリートテストハンマーの使用状態を示す説明断面図である。
【図２】本実施例の本体内に没入した状態のプランジャを本体から突出動させた際、空気導入部を介して外部の空気が本体内に導入される使用状態を示す説明断面図である。
【図３】本実施例の本体内に没入した状態のプランジャを本体から突出動させた際、空気導入部を介して外部の空気が本体内に導入される状態を示す空気導入部の拡大説明断面図である。
【図４】本実施例のプランジャを本体内に没入させた際、空気導入部８からではなく本体とプランジャとの隙間から本体内の空気が導出される使用状態を示す説明断面図である。
【図５】本実施例の空気吸入弁を設けた螺子体を示す斜視図である。
【符号の説明】
１  本体
２  ハンマー体
３  スプリング
４  プランジャ
５  測定物
７  微小隙間
８  空気導入部
９  螺子体
１３  空気吸入弁
【図１】
2004239852.tif 000003
【図２】
2004239852.tif 000004
【図３】
2004239852.tif 000005
【図４】
2004239852.tif 000006
【図５】
2004239852.tif 000007